(57)【要約】      （修正有）【課題】コンベアベルトを保持して物品の輸送過程での順調な通気を保持するコンベア補助装置の提供。【解決手段】フレーム１１に物品輸送可能なコンベアベルト１を設け、コンベアベルトの上方に連動コンベアベルト２を設け、コンベアベルトと連動コンベアベルトの間に輸送空間４を形成し、コンベアベルト上の物品５を前進させ、連動コンベアベルトの両外側に支持器を設け、且つ支持器３より延伸したアーム３２で連動コンベアベルトの両側を支持し、連動コンベアベルトの両外側を上向きに支持し、ダンボール加工過程に応用する時、ダンボールを輸送過程で順調に乾燥させ、且つ内部の水蒸気を排出させ、急速に固化させ、並びにダンボールを強固に接着させ、ダンボール加工過程での順調な通気と順調な輸送効果を獲得する。【選択図】図２
0003139563.tif 000002
【実用新案登録請求の範囲】
【請求項１】
コンベア補助装置において、該コンベア補助装置はダンボールの輸送過程で通気機能を提供する補助装置であって、コンベアベルト、連動コンベアベルト、支持器で構成され、  該コンベアベルトはフレームに架設され、該コンベアベルトは複数の駆動回転軸により駆動されてダンボールを輸送するベルトを具え、該連動コンベアベルトは該ダンボールを案内して前進させる連動コンベアベルトを具え、該コンベアベルトの一側の該フレームに、輸送される該ダンボールを加熱し、水蒸気を排出させて固化させ、強固に接着させる加熱装置が設けられ、
該支持器が該連動コンベアベルトの両側に設けられ、該支持器に該連動コンベアベルトを上向きに支持して該ダンボールを順調に輸送させるアームが設けられたことを特徴とする、コンベア補助装置。
【請求項２】
請求項１記載のコンベア補助装置において、該支持器に支持装置が設けられ、該支持装置の一側にアームが設けられ、該アームがロッド或いは回転可能なロッドとされることを特徴とする、コンベア補助装置。
【請求項３】
請求項２記載のコンベア補助装置において、該支持器の該支持装置に駆動モータが設けられ、該駆動モータに回転ロッドが接続されたことを特徴とする、コンベア補助装置。
【考案の詳細な説明】
【技術分野】
【０００１】
本考案は一種のコンベア補助装置に係り、特にコンベアベルトを支持して輸送物品例えばダンボールに対する順調な通気を行い並びに該ダンボールを接着させる補助装置であって、延設したアームで連動コンベアベルトの両側を支持し、輸送空間の順調な通気を確保すると共にダンボールを強固に接合させる、コンベア補助装置に関する。
【背景技術】
【０００２】
多くの製造工場或いは加工作業場所のほとんどは、コンベアベルトで物品或いは加工物品を輸送しており、コンベアベルトの設置は現場の作業状況により、長さ或いは湾曲形式で設置され、配置現場の加工の流れに応じて、コンベアベルトで物品を輸送して加工、製造できる。コンベアベルトによる物品輸送の過程で、輸送する物品の性質により、コンベアベルトの上方に連動コンベアベルトを増設することで、比較的薄くまた位置ずれを起こしやすい物品の輸送を補助できる。即ち連動コンベアベルトにより物品の上方を押さえる或いは物品に当接させることで、コンベアベルトで物品を輸送するとき、物品の偏りやゆがみを防止でき、物品のコンベアベルト外部への脱落を防止できる。
【考案の開示】
【考案が解決しようとする課題】
【０００３】
しかしコンベアベルトと連動コンベアベルトの組合せ使用は、以下のような多くの欠点を有している。
（１）連動コンベアベルトはコンベアベルトの上方に設置するが、長さが長過ぎることにより連動コンベアベルトの両側或いは中段位置が弛み、連動コンベアベルトとコンベアベルトの間の輸送空間距離が縮小され、物品輸送の作業に影響を与え、物品伝送が順調に行なえなくなる。
（２）薄い物品の輸送に対しては、圧力を印加するかローラを使用して、対応する必要があるが、連動コンベアベルトとコンベアベルトの間の輸送空間距離が異なると、薄い物品の受ける圧力が不均等となり、薄い物品の加工の品質に影響が生じる。
（３）コンベアベルトをダンボール加工工程に使用する時、コンベアベルトがダンボールを加熱器中に進入させる時、連動コンベアベルトの両側が下垂しダンボールの周辺を塞ぎ、ダンボール内部の水蒸気の排出不能とし、ダンボールの加熱乾燥の目的を達成できなくなる。
このため、本考案は、コンベアベルトを支持して輸送作業を順調に進行させる補助構造を提供するものである。
【課題を解決するための手段】
【０００４】
請求項１の考案は、コンベア補助装置において、該コンベア補助装置はダンボールの輸送過程で通気機能を提供する補助装置であって、コンベアベルト、連動コンベアベルト、支持器で構成され、
該コンベアベルトはフレームに架設され、該コンベアベルトは複数の駆動回転軸により駆動されてダンボールを輸送するベルトを具え、該連動コンベアベルトは該ダンボールを案内して前進させる連動コンベアベルトを具え、該コンベアベルトの一側の該フレームに、輸送される該ダンボールを加熱し、水蒸気を排出させて固化させ、強固に接着させる加熱装置が設けられ、
該支持器が該連動コンベアベルトの両側に設けられ、該支持器に該連動コンベアベルトを上向きに支持して該ダンボールを順調に輸送させるアームが設けられたことを特徴とする、コンベア補助装置としている。
請求項２の考案は、請求項１記載のコンベア補助装置において、該支持器に支持装置が設けられ、該支持装置の一側にアームが設けられ、該アームがロッド或いは回転可能なロッドとされることを特徴とする、コンベア補助装置としている。
請求項３の考案は、請求項２記載のコンベア補助装置において、該支持器の該支持装置に駆動モータが設けられ、該駆動モータに回転ロッドが接続されたことを特徴とする、コンベア補助装置としている。
【考案の効果】
【０００５】
本考案は一種のコンベア補助装置を提供し、それは、コンベアベルトの上方に連動コンベアベルトを設け、コンベアベルトと連動コンベアベルトの間に輸送空間を形成し、コンベアベルト上の物品を前進させ、連動コンベアベルトの両外側に支持器を設け、且つ支持器より延伸したアームで連動コンベアベルトの両側を支持し、連動コンベアベルトの両外側を上向きに支持し、ダンボール用コンベア装置に運用される時、ダンボールを輸送過程で順調に乾燥させ、且つ内部の水蒸気を排出させ、急速に固化させ、並びにダンボールを強固に接着させ、ダンボール加工過程でのダンボールの輸送を順調とし、且つダンボールの順調な通気、加熱乾燥を可能とし、並びに水蒸気を排除して、ダンボールの加工過程でダンボールの接着を強固とする。
【考案を実施するための最良の形態】
【０００６】
図１、２、３は本考案の側面図、側面断面図、好ましい実施例の立体外観図である。本考案の補助装置の構造は、コンベアベルト１、連動コンベアベルト２及び支持器３で構成されている。
【０００７】
そのうち、該コンベアベルト１はフレーム１１に設置され、該フレーム１１には加熱装置１１１が設置され、フレーム１１のコンベアベルト１内に駆動回転軸１２が設けられ、並びに駆動回転軸１２によりベルト１３が循環回動し、並びに輸送する物品５例えばダンボール５１を輸送する。
【０００８】
該連動コンベアベルト２は駆動回転軸２１を具え、並びに駆動回転軸２１により連動ベルト２２を循環回動させる。
【０００９】
該支持器３は支持装置３１を具え、並びに支持装置３１の一側よりアーム３２が延伸されている。
【００１０】
上述の本考案の各装置は、コンベアベルト１の上方に、連動コンベアベルト２が取付られ、即ちコンベアベルト１と連動コンベアベルト２の間に輸送空間４が形成され、該輸送空間４を利用して物品５例えばダンボール５１の輸送を行い、即ち、コンベアベルト１の複数の駆動回転軸１２によりベルト１３を駆動し、ベルト１３でダンボール５１を輸送し、且つ連動コンベアベルト２によりダンボール５１を案内して前進させる。連動コンベアベルト２の連動ベルト２２が引力により弛む時、その両側及び中段位置に下垂の状況が形成され、これにより輸送空間４が変形し押圧され、ダンボール５１輸送の作業に影響が生じる。このため連動コンベアベルト２の両側或いは中段位置にそれぞれ支持器３のアーム３２を挿入させ、並びに連動ベルト２２を支持し、輸送空間４をもとの幅、高さに回復させ、それによりコンベアベルト１によるダンボール５１輸送の作業を順調に行なえるようにする必要がある。
【００１１】
図４は本考案の別の実施例の立体外観図である。本考案の支持器３には直立式の支持装置３１を設置でき、並びに支持装置３１の上部の一側よりアーム３２を延伸させ、該アーム３２はロッド、可動回転軸とすることができる。或いは、支持装置３１の上部にモータを設け、並びにモータに回転軸式のアーム３２を接続することができる。各形式のアーム３２を利用して、連動コンベアベルト２の連動ベルト２２の下方を支持して連動ベルト２２を上向きに支持して、順調に循環させる。
【００１２】
本考案のコンベアベルト１で輸送する物品５がダンボール５１とされる時、すなわち、本考案がダンボール加工作業に運用される時、ダンボール５１が製造され、さらに加圧接着過程を行なう必要があるとき、ダンボール５１に液体糊等の接着物質を塗布してダンボール５１をコンベアベルト１、連動コンベアベルト２の間の輸送空間４により輸送し、且つ連動コンベアベルト２によりダンボール５１を押さえて、ダンボール５１の輸送過程で、ダンボール５１をフレーム１１の加熱装置１１１に進入させて加熱乾燥させる時、ダンボール５１内部の水蒸気が急速に外向きに排出されて、良好な通気効果を得られ、連動コンベアベルト２の影響を受けず、並びに順調に加工作業を行なえ、ダンボール５１を固化させ、しっかりと粘着固定する加工工程を達成できる。
【００１３】
以上は本考案の好ましい実施例の説明であって、本考案の権利請求範囲を限定するものではない。本考案のコンベアベルトの補助装置の構造は、連動コンベアベルト２の連動ベルト２２の両側及び中段位置が、支持器３のアーム３２により支持され、連動ベルト２２が上向きに持ち上げられ、連動コンベアベルト２、コンベアベルト１間の輸送空間４が順調にダンボール５１を輸送する目的を達成でき、並びに支持器３のアーム３２が回転可能なロッドとされ、連動ベルト２２に挿入され、連動ベルト２２の回転を補助し、ゆえに前述の効果を達成する。
【００１４】
本考案は以下のような効果を達成する。
（１）連動コンベアベルト２の両側に支持器３のアーム３２が挿入され、これにより連動ベルト２２が上向きに支持されて、連動コンベアベルト２とコンベアベルト１の間の輸送空間４が適当な幅を具備し、ダンボール５１の加工作業中でのダンボール５１の輸送において、加熱装置１１１でダンボール５１を加熱乾燥させる時、ダンボール５１内部の水蒸気を急速に排出させ、その良好な通気効果により、ダンボール５１の完全な固化、強固な結合を達成する。
（２）連動コンベアベルト２とコンベアベルト１の間が、支持器３のアーム３２により支持され、コンベアベルト１上の輸送物品５がダンボール５１とされるとき、順調に輸送でき、ダンボール５１の加熱乾燥加工を順調に行なえ、障害をなくす。
【図面の簡単な説明】
【００１５】
【図１】本考案の側面図である。
【図２】本考案の側面断面図である。
【図３】本考案の好ましい実施例の立体外観図である。
【図４】本考案の別の実施例の立体外観図である。
【符号の説明】
【００１６】
１  コンベアベルト
１１  フレーム            １２  駆動回転軸
１１１  加熱装置          １３  ベルト
２  連動コンベアベルト
２１  駆動回転軸          ２２  連動ベルト
３  支持器
３１  支持装置            ３２  アーム
４  輸送空間
５  物品
５１  ダンボール
【図１】
0003139563.tif 000003
【図２】
0003139563.tif 000004
【図３】
0003139563.tif 000005
【図４】
0003139563.tif 000006